【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
チャンバ及び画像化デバイスに動作可能に接続されたシステム制御モジュールを呼び出すことと、
前記システム制御モジュール経由で、前記チャンバと関連付けられた１組の環境パラメータを構成することと、
前記システム制御モジュール経由で、前記１組の環境パラメータを使用して前記チャンバ内のサンプルのための画像取り込み事象を構成することと、
前記画像化デバイス経由で前記画像取り込み事象から媒体を取り込むことと、を含む、方法。
【請求項２】
前記１組の環境パラメータのうちの１つ以上の環境パラメータは、動的環境パラメータであり、前記画像取り込み事象の間に変化する、請求項１に記載の方法。
【請求項３】
前記チャンバが、サンプルプレートを囲む封止されたチャンバを備える、請求項１または２に記載の方法。
【請求項４】
前記チャンバと関連付けられた前記１組の環境パラメータが、
前記チャンバの温度、
前記チャンバの湿度、
前記チャンバの圧力、または
前記チャンバのガス濃度値のうちの少なくとも１つを含む、請求項３に記載の方法。
【請求項５】
前記画像化デバイスが、顕微鏡を備える、請求項１または２に記載の方法。
【請求項６】
前記顕微鏡が、デジタル画像化顕微鏡を備える、請求項５に記載の方法。
【請求項７】
前記画像化デバイスと関連付けられた１組の画像化パラメータを、前記システム制御モジュール経由で構成することをさらに含む、請求項１または２に記載の方法。
【請求項８】
前記１組の画像化パラメータが、
倍率設定、
焦点距離設定、
分解能設定、
照明設定、
モノクロ設定、
カラー設定、
蛍光染色設定、
透明度設定、または
位相設定のうちの少なくとも１つを含む、請求項７に記載の方法。
【請求項９】
前記画像取り込み事象が、前記チャンバの中身のビデオ取り込みを含む、請求項１または２に記載の方法。
【請求項１０】
前記ビデオ取り込みが、微速度撮影のビデオ取り込みを含む、請求項９に記載の方法。
【請求項１１】
前記１組の環境パラメータが、前記画像取り込み事象のために前記取り込まれた媒体に記録される、請求項１または２に記載の方法。
【請求項１２】
チャンバに対する第１のインターフェースと、
画像化デバイスに対する第２のインターフェースと、
前記第１のインターフェース経由で前記チャンバ及び前記第２のインターフェース経由で前記画像化デバイスと通信するプロセッサであって、
前記チャンバ及び前記画像化デバイスに動作可能に接続されたシステム制御モジュールを呼び出して、
ユーザ入力を使用して、前記チャンバと関連付けられた１組の環境パラメータを構成して、
前記ユーザ入力を使用して、前記１組の環境パラメータを使用して前記チャンバ内のサンプルのための画像取り込み事象を構成して、
前記画像化デバイス経由で前記画像取り込み事象から媒体を取り込むように構成された、プロセッサと、を備える、画像化システム。
【請求項１３】
前記１組の環境パラメータのうちの１つ以上の環境パラメータは、動的環境パラメータであり、前記画像取り込み事象の間に変化する、請求項１２に記載のシステム。
【請求項１４】
前記チャンバが、サンプルプレートを囲む封止されたチャンバを備える、請求項１２または１３に記載のシステム。
【請求項１５】
前記チャンバと関連付けられた前記１組の環境パラメータが、
前記チャンバの温度、
前記チャンバの湿度、
前記チャンバの圧力、または
前記チャンバのガス濃度値のうちの少なくとも１つを含む、請求項１４に記載のシステム。
【請求項１６】
前記画像化デバイスが、顕微鏡を備える、請求項１２または１３に記載のシステム。
【請求項１７】
前記顕微鏡が、デジタル画像化顕微鏡を備える、請求項１６に記載のシステム。
【請求項１８】
前記プロセッサは、ユーザ入力を使用して、前記画像化デバイスと関連付けられた１組の画像化パラメータを構成するようにさらに構成されている、請求項１２または１３に記載のシステム。
【請求項１９】
前記１組の画像化パラメータが、
倍率設定、
焦点距離設定、
分解能設定、
照明設定、
モノクロ設定、
カラー設定、
蛍光染色設定、
透明度設定、または
位相設定のうちの少なくとも１つを含む、請求項１８に記載のシステム。
【請求項２０】
前記画像取り込み事象が、前記チャンバの中身のビデオ取り込みを含む、請求項１２または１３に記載のシステム。
【請求項２１】
前記ビデオ取り込みが、微速度撮影のビデオ取り込みを含む、請求項２０に記載のシステム。
【請求項２２】
前記１組の環境パラメータが、前記画像取り込み事象のために前記取り込まれた媒体に記録される、請求項１２または１３に記載のシステム。
【請求項２３】
前記１組の画像化パラメータのうちの１つ以上の画像化パラメータは、動的画像化パラメータであり、前記画像取り込み事象の間に変化する、請求項７に記載の方法。
【請求項２４】
前記１組の画像化パラメータのうちの１つ以上の画像化パラメータは、動的画像化パラメータであり、前記画像取り込み事象の間に変化するように構成されている、請求項１８に記載のシステム。
【請求項２５】
前記動的環境パラメータは、前記チャンバの温度、前記チャンバの湿度、前記チャンバの圧力、または前記チャンバのガス濃度値のうちの少なくとも１つを含む、請求項２に記載の方法。
【請求項２６】
前記動的環境パラメータは、前記チャンバの温度、前記チャンバの湿度、前記チャンバの圧力、または前記チャンバのガス濃度値のうちの少なくとも１つを含む、請求項１３に記載のシステム。
【手続補正２】
【補正対象書類名】明細書
【補正対象項目名】０００７
【補正方法】変更
【補正の内容】
【０００７】
本願明細書は、例えば、以下の項目も提供する。
（項目１）
チャンバ及び画像化デバイスに動作可能に接続されたシステム制御モジュールを呼び出すことと、
前記システム制御モジュール経由で、前記チャンバと関連付けられた１組の環境パラメータを構成することと、
前記システム制御モジュール経由で、前記１組の環境パラメータを使用して前記チャンバ内のサンプルのための画像取り込み事象を構成することと、
前記画像化デバイス経由で前記画像取り込み事象から媒体を取り込むことと、を含む、方法。
（項目２）
前記チャンバが、サンプルプレートを囲む封止されたチャンバを備える、項目１に記載の前記方法。
（項目３）
前記チャンバと関連付けられた前記１組の環境パラメータが、
前記チャンバの温度、
前記チャンバの湿度、
前記チャンバの圧力、または
前記チャンバのガス濃度値のうちの少なくとも１つを含む、項目２に記載の前記方法。
（項目４）
前記画像化デバイスが、顕微鏡を備える、項目１に記載の前記方法。
（項目５）
前記顕微鏡が、デジタル画像化顕微鏡を備える、項目４に記載の前記方法。
（項目６）
前記顕微鏡の１組の画像化パラメータが、前記システム制御モジュール経由で構成可能である、項目４に記載の前記方法。
（項目７）
前記１組の画像化パラメータが、
倍率設定、
焦点距離設定、
分解能設定、
照明設定、
モノクロ設定、
カラー設定、
蛍光染色設定、
透明度設定、または
位相設定のうちの少なくとも１つを含む、項目６に記載の前記方法。
（項目８）
前記画像取り込み事象が、前記チャンバの中身のビデオ取り込みを含む、項目１に記載の前記方法。
（項目９）
前記ビデオ取り込みが、微速度撮影のビデオ取り込みを含む、項目７に記載の前記方法。
（項目１０）
前記１組の環境変数が、前記画像取り込み事象の間隔にわたって動的に構成可能である、項目１に記載の前記方法。
（項目１１）
前記１組の環境変数が、前記画像取り込み事象のために前記取り込まれた媒体に記録される、項目１に記載の前記方法。
（項目１２）
チャンバに対する第１のインターフェースと、
画像化デバイスに対する第２のインターフェースと、
前記第１のインターフェース経由で前記チャンバ及び前記第２のインターフェース経由で前記画像化デバイスと通信するプロセッサであって、
前記チャンバ及び前記画像化デバイスに動作可能に接続されたシステム制御モジュールを呼び出して、
ユーザ入力を使用して、前記チャンバと関連付けられた１組の環境パラメータを構成して、
前記ユーザ入力を使用して、前記１組の環境パラメータを使用して前記チャンバ内のサンプルのための画像取り込み事象を構成して、
前記画像化デバイス経由で前記画像取り込み事象から媒体を取り込むように構成された、プロセッサと、を備える、画像化システム。
（項目１３）
前記チャンバが、サンプルプレートを囲む封止されたチャンバを備える、項目１２に記載の前記システム。
（項目１４）
前記チャンバと関連付けられた前記１組の環境パラメータが、
前記チャンバの温度、
前記チャンバの湿度、
前記チャンバの圧力、または
前記チャンバのガス濃度値のうちの少なくとも１つを含む、項目１３に記載の前記システム。
（項目１５）
前記画像化デバイスが、顕微鏡を備える、項目１２に記載の前記システム。
（項目１６）
前記顕微鏡が、デジタル画像化顕微鏡を備える、項目１５に記載の前記システム。
（項目１７）
前記顕微鏡の１組の画像化パラメータが、前記システム制御モジュール経由で構成可能である、項目１５に記載の前記システム。
（項目１８）
前記１組の画像化パラメータが、
倍率設定、
焦点距離設定、
分解能設定、
照明設定、
モノクロ設定、
カラー設定、
蛍光染色設定、
透明度設定、または
位相設定のうちの少なくとも１つを含む、項目１７に記載の前記システム。
（項目１９）
前記画像取り込み事象が、前記チャンバの中身のビデオ取り込みを含む、項目１２に記載の前記システム。
（項目２０）
前記ビデオ取り込みが、微速度撮影のビデオ取り込みを含む、項目１８に記載の前記システム。
（項目２１）
前記１組の環境変数が、前記画像取り込み事象の間隔にわたって動的に構成可能である、項目１２に記載の前記システム。
（項目２２）
前記１組の環境変数が、前記画像取り込み事象のために前記取り込まれた媒体に記録される、項目１２に記載の前記システム。
この明細書の一部に組み込まれると共にその一部を構成する添付図面が、本教示の実施形態を例示して、その記載と共に、本教示の原理を説明するのに役立つ。